(57)【要約】【課題】  平常時は分解状態で収納され、災害時に組立てて使用する即ち停電等の非常事態下において有効である木製棺桶組立セットを提供する。【解決手段】  棺桶蓋体６と、底板８と、前記底板８の周縁部に下端部を接着して棺桶主体４を形成する４枚の側板１２とを有し、前記底板８が、底板８の一面の周縁部の内側に内側枠体１０ａと外側枠体１０ｂとを周縁部から内側に向かう方向に二重に接着することにより形成してなる活性炭及び／又は防腐剤収納用溝１６を有する木製棺桶組立セット２とする。この木製棺桶組立セット２は、底板８周縁部に側板１２下端部を接着するための接着剤と、活性炭及び／又は防腐剤収納溝１６に収納する活性炭及び／又は防腐剤とを有することが好ましい。【選択図】  図１
0003125936.tif 000002
【実用新案登録請求の範囲】
【請求項１】
平常時は分解状態で収納され、災害時に組立てて使用する木製棺桶組立セットであって、棺桶蓋体と、底板と、前記底板の周縁部に下端部を接着して棺桶を形成する４枚の側板とを有し、前記底板が、底板の一面の周縁部の内側に内側枠体と外側枠体とを周縁部から内側に向かう方向に二重に接着することにより形成してなる活性炭及び／又は防腐剤収納用溝を有する木製棺桶組立セット。
【請求項２】
底板周縁部に側板下端部を接着するための接着剤と、活性炭及び／又は防腐剤収納溝に収納する活性炭及び／又は防腐剤とを有する請求項１に記載の木製棺桶組立セット。
【考案の詳細な説明】
【技術分野】
【０００１】
本考案は、震災等非常事態下において已むなく発生する大量の遺体を衛生的且つ安全に保管安置するための木製棺桶の組立セットに関する。
【背景技術】
【０００２】
木製棺桶は出来上がり品ではなく、組立前の底板、側板等の木製素材として保管する木製棺桶即ち組立式木製棺桶が提案されている(例えば、特許文献１参照)。
【０００３】
平常時、遺体を保管安置するための木製棺桶は、電動工具等を用いて生産される。しかし、大地震などの大型災害では、瞬時に或は短時間に大量の遺体が発生すると予測され、しかも停電等になるため、電動工具等を用いる生産ではその供給は不可能である。
【０００４】
なお、いつ起こるか判らない大型災害のために、出来上がった木製棺桶を常時大量に保管しておくのは保管スペースの無駄である。
【０００５】
しかし、特許文献１に開示された組立式木製棺桶は、平常時に使用することを前提としたものであり、嵌合用の凹部や凸部等の複雑な形状をしている。そのため、些細なずれ等の修正や増産に伴う凹部や凸部等の追加加工に当たっては電動工具等が必要となり、停電等になる震災等非常事態下において不適である。
【０００６】
また、棺桶に保管安置された遺体は、身元確認等で保管安置期間が長くなることが多い。そのため、遺体の腐乱、悪臭発生が進むが簡易な形態の組立式木製棺桶では、その防止対策を充分に行うことができない。
【特許文献１】特開２００２−２８２３１１号公報  （特許請求の範囲）
【考案の開示】
【考案が解決しようとする課題】
【０００７】
本考案者は、上記問題を解決するために種々検討しているうちに、平常時は個々の部品に分解されて小容積の状態で保管され、災害時には簡単に接着剤を用いて組立て、遺体を保管安置できる棺桶に想到した。また、棺桶内に活性炭及び／又は防腐剤の収納部を設ける場合には、保管安置期間が多少長くなっても、遺体の腐乱、悪臭発生の進行を防止できるように構成した。
【０００８】
本考案の目的とするところは、上述した問題点を解決した木製棺桶組立セットを提供することにある。
【課題を解決するための手段】
【０００９】
上記目的を達成する本考案は、以下に記載するものである。
【００１０】
〔１〕  平常時は分解状態で収納され、災害時に組立てて使用する木製棺桶組立セットであって、棺桶蓋体と、底板と、前記底板の周縁部に下端部を接着して棺桶を形成する４枚の側板とを有し、前記底板が、底板の一面の周縁部の内側に内側枠体と外側枠体とを周縁部から内側に向かう方向に二重に接着することにより形成してなる活性炭及び／又は防腐剤収納用溝を有する木製棺桶組立セット。
【００１１】
〔２〕  底板周縁部に側板下端部を接着するための接着剤と、活性炭及び／又は防腐剤収納溝に収納する活性炭及び／又は防腐剤とを有する〔１〕に記載の木製棺桶組立セット。
【考案の効果】
【００１２】
本考案の木製棺桶は、災害時に備えて、普段は組立セットとして分解して小容積で収納しておき、災害時に使用するものである。本考案の木製棺桶組立セットは、平常時の収納場所は小面積で良い。
【００１３】
本考案の組立セットで得られる木製棺桶の棺桶主体の底板には、その上面の周縁部内側に周縁に平行に二重枠体が接着して設けられている。この二重枠体のうち外側枠体が底板上面の周縁部側とで形成されたＬ字型の溝に、側板を接着して取り付けることで棺桶主体を形成するので、組立は簡易である。また、電動工具等を用いなくても簡便に組立てできるので、停電等の非常事態下において有効である。
【００１４】
本考案の組立セットで得られる木製棺桶の棺桶主体の底板には、二重枠体の内側枠体と外側枠体と底板上面とで凹字型の溝が形成されている。その凹字型の溝に活性炭及び／又は防腐剤を収納することにより、保管安置期間が多少長くなっても、遺体の腐乱、悪臭発生の進行を防止できる。
【００１５】
本考案の木製棺桶組立セットは、災害時の電力の供給が止まる数日間の短い期間に使用すると有効である。
【考案を実施するための最良の形態】
【００１６】
以下、図面を参照して本考案を詳細に説明する。図１は、本考案の組立セットを組立てて得られる木製棺桶の一例を示す概略図である。(Ａ)は、その正面図である。(Ｂ)は、断面部分が(Ａ)におけるＰ〜Ｐ面に沿う平面断面図である。(Ｃ)は、断面部分が(Ａ)におけるＱ〜Ｑ面に沿う側面断面図である。
【００１７】
本例に示されている組立後の木製棺桶２は、遺体を保管安置する棺桶主体４と、棺桶主体４に載置する棺桶蓋体６とからなる。棺桶主体４は、底板８と、底板８上面の周縁部に立て掛けて固着した４枚の側板１２とを有する。
【００１８】
底板８の上面には、側板１２の厚さに等しい長さの内方に４本の棒状角材を四辺形状に接着してあり、これにより外側枠体１０ｂを形成している。この外側枠体１０ｂの内方に更に４本の棒状角材を四辺形状に接着してあり、内側枠体１０ａを形成している。この内側枠体１０ａと、上記外側枠体１０ｂとで二重の枠体を形成している。
【００１９】
二重枠体のうち外側枠体１０ｂと底板８上面の周縁部側とで周縁方向に直交する断面がＬ字型をなす側板下端部接着用溝１４を形成している。二重枠体の内側枠体１０ａと外側枠体１０ｂと底板８上面とで周縁方向に直交する断面が凹字型をなす活性炭及び／又は防腐剤収納用溝１６を形成している。
【００２０】
なお、本考案の木製棺桶組立セットとしては、底板８上面の周縁部側の断面Ｌ字型溝１４と、側板１２下端部とを接着するための接着剤、並びに、断面凹字型溝１６に収納するための活性炭及び／又は防腐剤を備えていることが好ましい。
【００２１】
上記構造の木製棺桶組立セットは、例えば以下の組立方法で組立てられて木製棺桶になる。
【００２２】
底板８上面の周縁部側には予め棒状の角材が接着され、周縁部から内側にかけて、断面Ｌ字型溝１４、外側枠体１０ｂ、断面凹字型溝１６、内側枠体１０ａが形成されている。
【００２３】
断面Ｌ字型溝１４に、側板１２の端面側を接着して立て掛けることで棺桶主体４を形成する。
【００２４】
断面凹字型溝１６に、活性炭及び／又は防腐剤を収納する。これにより、保管安置期間が多少長くなっても、遺体の腐乱、悪臭発生の進行を防止できる。断面凹字型溝１６は、断面方向の仕切りにより複数の溝に分割し、分割溝に活性炭及び防腐剤を別々に収納することが好ましい。これにより、遺体の腐乱、悪臭発生の進行の防止効果を更に向上することができる。
【００２５】
組立てられた棺桶主体４は、遺体を収納後、蓋体６を載置し、遺体を保管安置する。
【図面の簡単な説明】
【００２６】
【図１】本考案の組立セットを組立てて得られる木製棺桶の一例を示す概略図である。(Ａ)は、その正面図である。(Ｂ)は、断面部分が(Ａ)におけるＰ〜Ｐ面に沿う平面断面図である。(Ｃ)は、断面部分が(Ａ)におけるＱ〜Ｑ面に沿う側面断面図である。
【符号の説明】
【００２７】
２    組立後の木製棺桶
４    棺桶主体
６    棺桶蓋体
８    底板
１０ａ    内側枠体
１０ｂ    外側枠体
１２    側板
１４    断面Ｌ字型溝
１６    断面凹字型溝
【図１】
0003125936.tif 000003